(57)【特許請求の範囲】
【請求項１】
ベース台となるモータブラケットと、
前記モータブラケットに軸受手段を介して相対的に回転自在に支持されたロータハブと、
前記ロータハブに装着されたロータマグネットと、
ステータコアにおける周方向に間隔を置いて配設された複数個のティース部にステータコイルが捲装されてなり、前記ロータマグネットの外周に対向して前記モータブラケットに内嵌固定されたステータと、
前記ステータコイルのコイル引出し部が半田付けにより電気的に接続されて前記ステータへの給電回路を形成するフレキシブル回路基板とを備え、
前記フレキシブル回路基板は、
前記ステータの上面に載置された基板基部と、この基板基部に所定間隔で突設された複数個の端子片部とを有するとともに、
前記端子片部の両側に張り出して一体形成された一対の保持片部を有し、この両保持片部が、前記端子片部に対し垂下する方向に折曲され、且つ隣接する前記ステータコイルに接触して前記端子片部を位置決め状態に保持し、
前記端子片部が、隣接する各２個の前記ティース部の間のステータスロット内に位置する配置で前記基板基部から下り勾配に傾斜して設けられ、
前記端子片部の接続用ランドに、前記コイル引出し部が半田付けにより電気的に接続されていることを特徴とするモータ。
【請求項２】
前記基板基部と前記端子片部との境界部分に、前記コイル引出し部を上方に向け挿通させる切欠き溝が形成されている請求項１に記載のモータ。
【発明の詳細な説明】
【０００１】
【発明の属する技術分野】
本発明は、例えば、ハードディスク（磁気ディスク）などの記録ディスク駆動装置に記録ディスクの回転駆動源として組み込まれるスピンドルモータなどのモータに関するものである。
【０００２】
【従来の技術】
例えば、ハードディスク、フロッピィディスク、光磁気ディスクなどの記録ディスクの回転駆動源としての用途に用いられるスピンドルモータとしては、インナーロータ型の場合、図５に示すような構成になっている。すなわち、同図は、カートリッジ式記録ディスク駆動装置用のスピンドルモータを示し、モータブラケット１には、中央部に円筒状の軸支部２が突設され、この軸支部２の周囲に環状凹所３が設けられている。環状凹所３の内周面には、ステータコア７にステータコイル８が捲装されてなるステータ４が内嵌固定されている。軸支部２の内部には、上下一対の玉軸受９，１０を介してほぼ円筒状の軸部材１１が回転自在に支持されており、軸部材１１の上部には、カップ状のロータハブ１２が軸支部２の上面および外周面を覆う配置で固定されている。
【０００３】
上記ロータハブ１２の外周面下部には、ステータ４の内周面に所定の間隙を存して対向する配置で円環状のロータマグネット１３が外嵌固定されているとともに、ロータ１２の上面には、カートリッジ式記録ディスク（図示せず）を磁気吸着するためのリング状のチャッキング用マグネット１４が、ロータハブ１２の上面と面一に埋設されている。また、ステータ４の上面には、円環状のフレキシブル回路基板（以下、ＦＰＣと略す）１７が固着され、このＦＰＣ１７にステータコイル８のコイル引出し部（図示せず）が半田１８付けにより電気的接続されており、さらに、ＦＰＣ１７の帯状引出部１９がモータブラケット１の上面に沿って引き出されている。
【０００４】
【発明が解決しようとする課題】
ところで、近年では、携帯型小型電子機器、例えばノート型パソコンなどの小型化および薄型化が益々促進される傾向にあり、それに伴って、これらの機器に記録ディスクの回転駆動源として搭載されるスピンドルモータに対しても一層の小型化および薄型化が要求されている。このような要求を満足させるために、スピンドルモータではステータ４のステータコア７を薄くするなどの対策を施している。しかしながら、図５のスピンドルモータでは、ＦＰＣ１７をステータコイル８の上面に載置して半田１８付けしているため、ＦＰＣ１７自体はフィルム状であってその厚みが薄型化に殆ど影響を及ぼさないが、このＦＰＣ１７を含むステータ４全体の高さＨが半田１８分だけ高くなっている。そのため、ロータハブ１２に保持されるディスクとの間に所定の間隙を形成する必要上、ロータハブ１２のディスク載置面が比較的高く設定されることとなり、ステータ４の薄型化を図った効果はこの半田１２の存在により相殺されてしまい、スピンドルモータの薄型化にはさほど寄与しない結果となる。
【０００５】
そこで本発明は、上記従来の課題に鑑みてなされたもので、その目的とするところは、ステータに存在する空間を有効に利用してステータコイルのコイル端部を半田付けする配線を行うようにして、ＦＰＣを含むステータ全体の薄型化を図ることのできる構成を備えたモータを提供することにある。
【０００６】
【課題を解決するための手段】
上記した目的を達成するために、本発明のモータは、ベース台となるモータブラケットと、前記モータブラケットに軸受手段を介して相対的に回転自在に支持されたロータハブと、前記ロータハブに装着されたロータマグネットと、ステータコアにおける周方向に間隔を置いて配設された複数個のティース部にステータコイルが捲装されてなり、前記ロータマグネットの外周に対向して前記モータブラケットに内嵌固定されたステータと、前記ステータコイルのコイル引出し部が半田付けにより電気的に接続されて前記ステータへの給電回路を形成するフレキシブル回路基板とを備え、前記フレキシブル回路基板は、前記ステータの上面に載置された基板基部と、この基板基部に所定間隔で突設された複数個の端子片部とを有するとともに、前記端子片部の両側に張り出して一体形成された一対の保持片部を有し、この両保持片部が、前記端子片部に対し垂下する方向に折曲され、且つ隣接する前記ステータコイルに接触して前記端子片部を位置決め状態に保持し、前記端子片部が、隣接する各２個の前記ティース部の間のステータスロット内に位置する配置で前記基板基部から下り勾配に傾斜して設けられ、前記端子片部の接続用ランドに、前記コイル引出し部が半田付けにより電気的に接続された構成になっている。
【０００７】
このモータでは、フレキシブル回路基板の複数の端子片部をそれぞれステータコアの各ステータスロットの内部に下り勾配に傾斜させた配置で設けるとともに、ステータコイルのコイル引出し部を端子片部の接続用ランドに導いて半田付けしているので、半田はステータコイルの上面部よりも下方に位置する。これにより、フレキシブル回路基板を含むステータ全体の高さは、既存のモータと比較して半田分とこれに対して要求される所定の絶縁距離だけ低くなるから、近年の小型化および薄型化の要望に応えられるモータを提供できる。しかも、コイル引出し部の配線は、既存のモータにおいて何ら利用されることのなかった空間であるステータコアのステータスロットを利用して行っているので、フレキシブル回路基板の形状を若干変更する以外に構成の改造を必要としないので、殆どコストアップを招かない利点がある。
【０００９】
また、端子片部が、その両側の保持片部によって盲動することのない位置決め状態でステータスロット内に保持されるので、フレキシブル回路基板とステータコイルとの間の配線部分を長期にわたり安定状態に維持できる。
【００１０】
さらに、上記発明において、前記基板基部と前記端子片部との境界部分に、前記コイル引出し部を上方に向け挿通させる切欠き溝が形成されている構成とすることもできる。
【００１１】
これにより、コイル引出し部を端子片部の上面側に支障なく導いて端子片部のランドなどの端子領域に接続できるとともに、コイル引出し部を極めて簡単な構成によってロータマグネットなどに接触しないよう安定に保持できる。
【００１２】
【発明の実施の形態】
以下、本発明の好ましい実施形態について図面を参照しながら詳述する。
図１は本発明の一実施形態に係るモータを示す縦断面図であり、この実施形態では、ハードディスク駆動装置用のインナーロータ型のスピンドルモータに適用した場合を例示してある。同図において、モータブラケット１には、中央部に円筒状の軸支部２が突設され、この軸支部２の周囲に環状凹所３が設けられている。環状凹所３の内周面には、ステータコア７にステータコイル８が捲装されてなる円環状のステータ４が、前記内周面の上部を切欠いた形状に形成された環状の支持段部２０に上側から嵌め込み位置決めした状態で固定されている。
【００１３】
記録ディスク（図示せず）を一体的に回転駆動するためのロータハブ２１は、共に有頭円筒状となった内筒壁部２２および外筒壁部２３が同心状の配置で一体形成されているとともに、外筒壁部２３の外周面のほぼ中間部から平面視リング状の支持部２４が外方に向け突設された形状になっている。このロータハブ２１は、内筒壁部２２が上下一対の玉軸受９，１０を介してモータブラケット１の軸支部２の内部に回転自在に支持されている。なお、ロータハブ２１は、内筒壁部２２と外筒壁部２３とを別体として、これらを相互に連結して固定する構成とすることもできる。
【００１４】
上記ロータハブ２１における支持部２４の上面は、記録ディスクを載置して外筒壁部２３の外周面に外嵌固定させるためのディスク載置面２７になっている。これに関連して、内筒壁部２２の中央上部には、記録ディスクを外筒壁部２３の外周面に外嵌してディスク載置面２７に載置した位置決め状態でロータハブ２１に固定するためのクランプ用ねじ孔２８が設けられている。なお、内筒壁部２２におけるクランプ用ねじ孔２８の下方の孔部はゴムボール２９を圧入して閉塞されている。また、上記支持部２４の下面と外筒壁部２３の外周面とからなる段部には、円環状のロータヨーク３０を介在して同じく円環状のロータマグネット３１が、ステータ４に対し径方向において僅かな間隙で対向する配置で固定されている。
【００１５】
図２は、その詳細を後述するＦＰＣ３２の取り付け前の状態におけるステータ４に対する位置関係を示す平面図、図３はＦＰＣ３２およびステータ４の一部を示す拡大平面図である。これらの図において、ステータ４における上記ステータコア７は、平面視リング状のコアプレートを複数枚積層して形成され、径方向の内方に向け突出する歯極状のティース部７ａが周方向において等間隔に配設されており、隣接する各２個のティース部７ａ間にそれぞれ存在する空間がステータスロット７ｂになっている。ステータ４は上記ティース部７ａに３相のステータコイル８を捲装して構成されている。
【００１６】
つぎに、本発明の要旨とする構成について説明する。図２に示すように、ステータ４の半部（この実施形態では右半部）上面には平面視でほぼ半円形状となったＦＰＣ３２が固着されている。このＦＰＣ３２は、半円形帯状の基板基部３２ａと、この基板基部３２ａから等間隔の配置で基板基部３２ａの径方向の内方に向け突設された複数個（この実施の形態では４個を例示）の端子片部３２ｂと、この端子片部３２ｂの両側からそれぞれ外方に張り出した保持片部３２ｃと、基板基部３２ａの適所から半径方向の外方へ延びる帯状引出し部３２ｄとが一体形成された形状になっている。
【００１７】
上記ＦＰＣ３２は、図２に明示するように、各端子片部３２ｂがステータコア７のステータスロット７ｂの内部に位置する配置で基板基部３２ａがステータコイル８上に載置されるとともに、要部の縦断面図である図４に示すように、帯状引出し部３２ｄがモータブラケット１の引出し溝３３に沿ってモータブラケット１の外部に引き出され、この状態において、図１に示すように、モータブラケット１の取付段部３４に嵌入固定されたシール部材３７によってモータブラケット１に押し付けて挟持固定されている。
【００１８】
さらに、ＦＰＣ３２は、図３および図４に明示するように、その端子片部３２ｂの両側の各保持片部３２ｃが端子片部３２ｂに対し下方に向け直角に折曲されたのちに、端子片部３２ｂが基板基部３２ａとの境界線に沿った折曲によって斜め下方に向け傾斜する状態とされている。このとき、両側の保持片部３２ｃは、それぞれ対応するステータコイル８に接触して、端子片部３２ｂをステータスロット７ｂ内に保持している。これにより、端子片部３２ｂは、モータの回転駆動時に盲動することのないようにステータスロット７ｂ内に位置決めされ、長期間にわたり安定に保持される。
【００１９】
ステータコア７のティース部７ａに捲装されたスタータコイル８の端部であるコイル引出し部８ａは、基板基部３２ａと端子片部３２ｂとの間に形成された切欠き溝３２ｅを通って端子片部３２ｂの上方へ導かれるとともに、図２に示す端子片部３２ｂの接続用ランド３２ｆに図３および図４に示すように半田１８付けされて、ＦＰＣ３２に電気的接続されている。コイル引出し部８ａは切欠き溝３２ｅ内に安定に保持されるから、コイル引出し部８ａがロータマグネット３１などに接触するなどのトラブルの発生を確実に防止できる。
【００２０】
このスピンドルモータは、外部の駆動電源からＦＰＣ３２およびコイル引出し部８ａを通じてステータ４のステータコイル８に通電されることにより、ステータ４とロータマグネット３１間に磁気作用が生じて、ロータハブ２１がモータブラケット１の軸支部２を回転支軸として回転するものである。これにより、ロータハブ２１のディスク載置面２７上に載置固定されている記録ディスクは、ロータハブ２１と一体的に回転駆動される。
【００２１】
このスピンドルモータでは、図４に明示するように、ＦＰＣ３２の端子片部３２ｂをステータコア７のステータスロット７ｂ内に基板基部３２ａから下り勾配に傾斜させた配置で設けるとともに、ステータコイル８のコイル引出し部８ａをＦＰＣ３２の切欠き溝３２ｅを通じ端子片部３２ｂの上方のランド３２ｆに導いて半田１８付けしているので、半田１８はステータコイル８の上面部よりも下方に位置することになり、ＦＰＣ３２を含むステータ４全体の高さｈ（図４）は、図５の既存のスピンドルモータと比較して半田１８分だけ低くなる。加えて、ステータスロット７ｂ内に半田１８部分が収容されて半田１８に対する絶縁距離が形成されるので、従来のように半田１８の上方に所定の絶縁距離を確保する必要がなくなる。したがって、本発明は、近年の小型化および薄型化の要望に応えられるスピンドルモータを提供できるものである。しかも、コイル引出し部８ａの配線は、既存のスピンドルモータにおいて何ら利用されることのなかった空間であるステータコア７のステータスロット７ｂを利用して行っているから、ＦＰＣ３２の形状を若干変更する以外に構成の改造を必要としないので、殆どコストアップにならない。
【００２２】
なお、上記実施形態では、ＦＰＣ３２として、平面視半円形の帯状のものを例示して説明したが、平面視円環状のＦＰＣであっても、本発明を支障なく適用して、そのＦＰＣの端子片部を上記実施形態とほぼ同様に傾斜状態に設けることができる。また、本発明は、実施形態に例示したカートリッジ式記録ディスク駆動装置用のスピンドルモータ以外のモータにも適用することができるのは勿論である。
【００２３】
【発明の効果】
以上のように本発明のモータによれば、フレキシブル回路基板の複数の端子片部をそれぞれステータコアの各ステータスロットの内部に下り勾配に傾斜させた配置で設けるとともに、ステータコイルのコイル引出し部を端子片部の接続用ランドに導いて半田付けする構成としたので、半田がステータコイルの上面部よりも下方に位置することになり、フレキシブル回路基板を含むステータ全体の高さが既存のモータと比較して半田及びこの半田に対する絶縁距離だけ低くなるから、近年の小型化および薄型化の要望に応えられるモータを提供できる。しかも、コイル引出し部の配線は、既存のモータにおいて何ら利用されることのなかった空間であるステータコアのステータスロットを利用して行っているから、フレキシブル回路基板の形状を若干変更する以外に構成の改造を必要としないので、殆どコストアップを招かない利点がある。
【図面の簡単な説明】
【図１】本発明の一実施形態に係るモータを示す縦断面図である。
【図２】同上モータにおけるＦＰＣの取り付け前の状態におけるスタータとの位置関係を示す平面図である。
【図３】同上モータにおけるＦＰＣおよびステータを示す一部の拡大平面図である。
【図４】同上モータの要部の組み立て前の状態の縦断面図である。
【図５】従来のスピンドルモータを示す縦断面図である。
【符号の説明】
１  モータブラケット
４  ステータ
７  ステータコア
７ａ  ティース部
７ｂ  ステータスロット
８  ステータコイル
８ａ  コイル引出し部
９，１０  玉軸受（軸受手段）
１８  半田
２１  ロータハブ
３１  ロータマグネット
３２  フレキシブル回路基板
３２ａ  基板基部
３２ｂ  端子片部
３２ｃ  保持片部
３２ｅ  切欠き溝
３２ｆ  接続用ランド
【図１】
0003667545.tif 000002
【図２】
0003667545.tif 000003
【図３】
0003667545.tif 000004
【図４】
0003667545.tif 000005
【図５】
0003667545.tif 000006